(57)【要約】【課題】あおり方向を下方とした場合でも、取り付け工事が不要で誤作動のおそれがないプロジェクタを提供すること。【解決手段】プロジェクタ１は、光源から射出された光束を、画像情報に応じて変調して光学像を形成する液晶パネルと、この液晶パネルで形成された光学像を拡大して投写する投写レンズ４６と、液晶パネルおよび投写レンズ４６を収容する外装ケース２とを備え、投写レンズ４６は、その光軸に対して投写領域の中心軸がずれたあおり方向を有し、外装ケース２は、投写レンズ４６の光軸に対してあおり方向側に上面部分２１０を有し、この上面部分２１０から突出して設けられ外装ケース２を支持する支持フット２１５を備える。【選択図】　　　図１
2004085726.tif 000002
【特許請求の範囲】
【請求項１】
光源から射出された光束を、画像情報に応じて変調して光学像を形成する光変調装置と、この光変調装置で形成された光学像を拡大して投写する投写光学系と、前記光変調装置および投写光学系を収容する外装ケースとを備え、
前記投写光学系は、その光軸に対して投写領域の中心軸がずれたあおり方向を有するプロジェクタであって、
前記外装ケースは、前記投写光学系の光軸に対してあおり方向側に第１支持面を有し、
この第１支持面から突出して設けられ前記外装ケースを支持する支持手段を備えることを特徴とするプロジェクタ。
【請求項２】
請求項１に記載のプロジェクタにおいて、
前記支持手段は、前記投写光学系のズーム操作およびフォーカス操作を行うための操作レバーより突出して設けられていることを特徴とするプロジェクタ。
【請求項３】
請求項２に記載のプロジェクタにおいて、
前記第１支持面には、凹部が形成され、
この凹部に前記操作レバーが配置されていることを特徴とするプロジェクタ。
【請求項４】
請求項１から３のいずれかに記載のプロジェクタにおいて、
前記支持手段は、前記外装ケースとは別部材とされ、衝撃緩衝材で形成されていることを特徴とするプロジェクタ。
【請求項５】
請求項４に記載のプロジェクタにおいて、
前記支持手段は、前記外装ケースに両面テープで取り付けられることを特徴とするプロジェクタ。
【請求項６】
請求項１から３のいずれかに記載のプロジェクタにおいて、
前記外装ケースは、前記投写光学系の光軸に対してあおり方向と反対側に第２支持面を有し、
前記支持手段は、前記外装ケースに支持されて前記第１支持面および第２支持面を貫通するとともに、その軸方向に進退可能とされていることを特徴とするプロジェクタ。
【請求項７】
請求項６に記載のプロジェクタにおいて、
前記外装ケースは、前記支持手段が螺合されるナット部を備えることを特徴とするプロジェクタ。
【請求項８】
請求項６または７に記載のプロジェクタにおいて、
前記支持手段は、前記外装ケース内に進退可能に支持された軸部材と、前記第１支持面および第２支持面を貫通し前記軸部材の軸線上を進退可能に支持されたフット部材とを備え、前記軸部材の長さは、前記各フット部材が前記支持面から突出しない状態における前記フット部材同士の間隔以下とされていることを特徴とするプロジェクタ。
【請求項９】
光源から射出された光束を、画像情報に応じて変調して光学像を形成する光変調装置と、この光変調装置で形成された光学像を拡大して投写する投写光学系と、前記光変調装置および投写光学系を収容する外装ケースとを備え、
前記投写光学系は、その光軸に対して投写領域の中心軸がずれたあおり方向を有するプロジェクタであって、
前記外装ケースは、前記投写光学系の光軸に対してあおり方向側に第１支持面を有し、前記投写光学系の光軸に対してあおり方向と反対側に第２支持面を有し、
前記第１支持面および第２支持面には、それぞれ、これら支持面から突出し前記外装ケースを支持する支持手段が着脱可能な取り付け孔が形成されていることを特徴とするプロジェクタ。
【請求項１０】
請求項９に記載のプロジェクタにおいて、
前記支持手段は、前記取り付け孔に係合されて装着されることを特徴とするプロジェクタ。
【発明の詳細な説明】
【０００１】
【発明の属する技術分野】
本発明は、光源から射出された光束を変調して光学像を形成する光変調装置と、この光変調装置で形成された光学像を拡大して投写する投写光学系と、前記光変調装置および投写光学系を収容する外装ケースとを備えたプロジェクタに関する。
【０００２】
【背景技術】
従来より、プレゼンテーションやホームシアター等の分野において、プロジェクタが利用されている。このようなプロジェクタとしては、例えば、光源から射出された光束を画像情報に応じて変調して光学像を形成する光変調装置と、この光変調装置で形成された光学像を拡大して投写する投写光学系と、前記光変調装置および投写光学系を収容する外装ケースとを備えたものがある。
【０００３】
このようなプロジェクタは、例えば、観察者とスクリーンとの間にプロジェクタを配置したときに、観察者がスクリーンを観察するのにプロジェクタが邪魔にならないように、投写領域を投写光学系の光軸に対して一定方向（以降、この方向をあおり方向と呼ぶ）にずらしたいわゆる「あおり投写」を行う構成とされている。この「あおり投写」は、投写光学系の光軸に対して光変調装置の画像形成領域の中心軸をあおり方向とは反対側にずらすことにより実現される。
【０００４】
ここで、プロジェクタの上面は、投写光学系の光軸に対してあおり方向側とされ、スイッチ等の操作部が設けられている。また、プロジェクタの下面は、投写光学系の光軸に対してあおり方向と反対側とされている。
【０００５】
ところで、ホームシアター等のホームユースの場合、プロジェクタは、例えば次の方法で設置される。まず、プロジェクタからスクリーンまでの投写距離を十分に確保するために、室内の壁面にスクリーンを設置するとともに、このスクリーンに対向する壁面に観察者のためのスペースを確保する。次に、スクリーンと観察者との間にテーブル等の台を設置し、この台の上にプロジェクタを載置する。このプロジェクタは、台上から上方にあおり投写することによって、スクリーン上に画像を形成する。
【０００６】
しかし、上述した方法を用いても、スクリーンと対向する壁面に本棚や箪笥等の家具があるため、プロジェクタからスクリーンまでの投写距離を十分に確保できない場合がある。そこで、プロジェクタを上下ひっくり返してあおり方向を下方とした姿勢で、天井から吊り下げる方法や、スクリーンと対向する位置にある家具上に載置する方法が考えられる。
【０００７】
【発明が解決しようとする課題】
しかしながら、プロジェクタを天井から吊り下げる方法では、天井裏にプロジェクタ支持用の下地材を取り付ける工事が必要になるという課題がある。
一方、プロジェクタを家具上に載置する方法では、プロジェクタをひっくり返すことにより、直接、プロジェクタの上面が載置面に接することになる。よって、スイッチ等が誤作動するという課題がある。
【０００８】
本発明の目的は、あおり方向を下方とした場合でも、取り付け工事が不要で誤作動のおそれがないプロジェクタを提供することにある。
【０００９】
【課題を解決するための手段】
本発明のプロジェクタは、光源から射出された光束を、画像情報に応じて変調して光学像を形成する光変調装置と、この光変調装置で形成された光学像を拡大して投写する投写光学系と、前記光変調装置および投写光学系を収容する外装ケースとを備え、前記投写光学系は、その光軸に対して投写領域の中心軸がずれたあおり方向を有するプロジェクタであって、前記外装ケースは、前記投写光学系の光軸に対してあおり方向側に第１支持面を有し、この第１支持面から突出して設けられ前記外装ケースを支持する支持手段を備えることを特徴とする。
【００１０】
この発明によれば、第１支持面を下側にしてあおり方向を下方とし、この状態でプロジェクタを載置しても、支持手段で外装ケースを支持できる。したがって、プロジェクタを天井から吊り下げる必要がなく、取り付け工事が不要となる。また、支持手段を第１支持面に突出して設けたので、下側となった第１支持面と載置面との間に空隙が形成されるから、スイッチ等が誤作動することがない。
【００１１】
本発明では、前記支持手段は、前記投写光学系のズーム操作およびフォーカス操作を行うための操作レバーより突出して設けられていることが好ましい。
この発明によれば、第１支持面を下側にしてプロジェクタを載置しても、操作レバーを載置面に接触させずに操作できる。
【００１２】
本発明では、前記第１支持面には、凹部が形成され、この凹部に前記操作レバーが配置されていることが好ましい。
この発明によれば、第１支持面に設けた凹部に操作レバーを配置したので、操作レバーの長さを短くして第１支持面からの突出寸法を支持手段より小さくしても、凹部の深さを適宜設定することにより円滑に操作できる。
【００１３】
本発明では、前記支持手段は、前記外装ケースとは別部材とされ、衝撃緩衝材で形成されていることが好ましい。
この発明によれば、支持手段を衝撃緩衝材で形成したので、冷却ファン等の駆動による振動を緩和できるから、プロジェクタの静寂性を向上できる。
【００１４】
本発明では、前記支持手段は、前記外装ケースに両面テープで取り付けられていることが好ましい。
この発明によれば、前記支持手段を簡単に外装ケースに取り付けることができる。
【００１５】
本発明では、前記外装ケースは、前記投写光学系の光軸に対してあおり方向と反対側に第２支持面を有し、前記支持手段は、前記外装ケースに支持されて前記第１支持面および第２支持面を貫通するとともに、その軸方向に進退可能とされていることが考えられる。
この発明によれば、例えば、支持手段を軸方向一端側に前進させるだけで、支持手段を第１支持面から突出させることができるとともに、第２支持面から引っ込めることができる。これにより、第１支持面を下側にして容易に載置できるとともに、第２支持面を上側にして外観を良好にできる。逆に、支持手段を軸方向他端側に前進させることにより、第２支持面を下側にして容易に載置できるとともに、第１支持面を上側にして外観を良好にできる。
【００１６】
本発明では、前記外装ケースは、前記支持手段が螺合されるナット部を備えることが好ましい。
この発明によれば、支持手段を回転させるだけで、外装ケースのナット部に対して支持手段が進退し、支持手段の外装ケースからの突出寸法を任意に設定できるから、プロジェクタの姿勢を容易に調整できる。
【００１７】
本発明では、前記支持手段は、前記外装ケース内に進退可能に支持された軸部材と、前記第１支持面および第２支持面を貫通し前記軸部材の軸線上を進退可能に支持されたフット部材とを備え、前記軸部材の長さは、前記各フット部材が前記支持面から突出しない状態における前記フット部材同士の間隔以下とされていることが好ましい。
この発明によれば、相対向するフット部材を両方とも支持面から突出していない状態にできるから、運搬等の使用しない状態でのプロジェクタの外観を良好にできる。
【００１８】
本発明では、光源から射出された光束を、画像情報に応じて変調して光学像を形成する光変調装置と、この光変調装置で形成された光学像を拡大して投写する投写光学系と、前記光変調装置および投写光学系を収容する外装ケースとを備え、前記投写光学系は、その光軸に対して投写領域の中心軸がずれたあおり方向を有するプロジェクタであって、前記外装ケースは、前記投写光学系の光軸に対してあおり方向側に第１支持面を有し、前記投写光学系の光軸に対してあおり方向と反対側に第２支持面を有し、前記第１支持面および第２支持面には、それぞれ、これら支持面から突出し前記外装ケースを支持する支持手段が着脱可能な取り付け孔が形成されていることを特徴とする。
【００１９】
この発明によれば、第１支持面および第２支持面のうち一方の取り付け孔に支持手段を取り付けるだけで、この一方の支持面を下側としてプロジェクタを載置しても、支持手段で外装ケースを支持できる。したがって、プロジェクタを天井から吊り下げる必要がなく、取り付け工事が不要となる。また、支持手段を支持面から突出して設けたので、下側となった支持面と載置面との間に空隙が形成されるから、スイッチ等が誤作動することがない。
さらに、他方の支持面の取り付け孔を塞ぐ蓋部材を設ければ、プロジェクタの外観を良好にできる。
【００２０】
本発明では、前記支持手段は、前記取り付け孔に係合されて装着されることが好ましい。
この発明によれば、支持手段を外装ケースに確実に固定できる。また、取り付け孔に支持手段を螺合させれば、支持手段を回転させるだけで、支持手段の外装ケースからの突出寸法を任意に設定できるから、プロジェクタの姿勢を容易に調整できる。
【００２１】
【発明の実施の形態】
［第１実施形態］
以下、本発明の一実施形態を図面に基づいて説明する。なお、以下の各実施形態および変形例において、前記第１実施形態と同一もしくは同様の構成部品については、同一の符号を用い、説明を省略あるいは簡略する。
〔１．プロジェクタの主な構成〕
図１は、本発明の第１実施形態に係るプロジェクタ１を上方から見た斜視図である。図２は、プロジェクタ１を下方から見た斜視図である。
図１または図２に示すように、プロジェクタ１は、射出成形によって成形された略直方体状の外装ケース２を備える。この外装ケース２は、プロジェクタ１の本体部分を収納する合成樹脂製の筐体であり、アッパーケース２１と、ロアーケース２３とを備え、これらのケース２１，２３は、互いに着脱自在に構成されている。
なお、アッパーケース２１およびロアーケース２３は、樹脂製でなくても、他の材質であってもよい。たとえば、マグネシウム、アルミニウム、あるいは、これらを含んだ合金などの金属であってもよい。
【００２２】
アッパーケース２１は、図１，２に示すように、プロジェクタ１の上面、側面、前面、および背面をそれぞれ構成する上面部２１Ａ、側面部２１Ｂ、前面部２１Ｃ、および背面部２１Ｄを含んで構成される。
同様に、ロアーケース２３も、図１，２に示すように、プロジェクタ１の下面、側面、前面、および背面をそれぞれ構成する下面部２３Ａ、側面部２３Ｂ、前面部２３Ｃ、および背面部２３Ｄを含んで構成される。
【００２３】
したがって、図１，２に示すように、直方体状の外装ケース２において、アッパーケース２１およびロアーケース２３の側面部２１Ｂ，２３Ｂ同士が連続的に接続されて直方体の側面部分２２０が構成され、同様に、前面部２１Ｃ，２３Ｃ同士の接続で前面部分２３０が、背面部２１Ｄ，２３Ｄ同士の接続で背面部分２４０が、上面部２１Ａにより第１支持面としての上面部分２１０が、下面部２３Ａにより第２支持面としての下面部分２５０がそれぞれ構成される。
【００２４】
図１に示すように、上面部分２１０において、前方左側には矩形状の開口２１１が形成されている。開口２１１には、この開口２１１を覆うランプカバー２１２が着脱自在に設けられている。このランプカバー２１２を取り外すことにより、図示しない光源ランプの交換が容易に行えるようになっている。
また、上面部分２１０において、後方右側には複数の操作スイッチ２１４が配列された操作パネル２４が設けられている。
【００２５】
操作パネル２４の前方でかつランプカバー２１２の側方には、上面部分２１０から前面部分２３０にかけて凹部２１３が形成され、対応して投写レンズ４６が配置されている。
ここで、投写レンズ４６は、操作レバー４６５，４６６を図１中左右方向に移動させることにより、投写レンズ４６のズーム操作、フォーカス操作を手動で行えるようになっている。各操作レバー４６５，４６６は、左右方向に移動されても、その先端が上面部分２１０から突出しない程度の長さを有している。凹部２１３は、投写レンズ４６の上面部分が露出する深さとされており、これにより、操作レバー４６５，４６６を円滑に操作できるようになっている。
【００２６】
上面部分２１０において、前方側の中央位置および後方側の両隅部の３箇所には、上面部分２１０から突出する支持フット２１５が設けられている。つまり、この支持フット２１５は、操作レバー４６５，４６６よりも突出している。支持フット２１５は、プロジェクタ１を上下ひっくり返して載置する場合に外装ケース２を３点で支持するものであって、これら３つの支持フット２１５で支持手段としての支持機構６０が構成されている。
各支持フット２１５は、ゴムや合成樹脂等の弾性を有する衝撃緩衝材で形成されて、外装ケース２とは別部材とされている。支持フット２１５は、半球形状とされ、その平面部分で両面テープを介して上面部分２１０に取り付けられている。
【００２７】
前面部分２３０において、投写レンズ４６（凹部２１３）が設けられた側の反対側には、後述する電源ユニット３の前方側に位置した排気口２３１が設けられている。また、この排気口２３１には、冷却空気を画像投写領域から外れる方向、すなわち図１中左側へ排気するとともに、遮光を兼ねた排気用ルーバ２３２が設けられている。
【００２８】
背面部分２４０において、２つの背面部２１Ｄ，２３Ｄに跨る開口２４１が形成され、この開口２４１にインターフェースパネル２２が取り付けられている。インターフェースパネル２２の内部側には、種々のコネクタが実装された図示略のインターフェース基板が配置される。
また、開口２４１の左右両側には、背面部２１Ｄ，２３Ｄに跨って音声出力用のスピーカ孔２４２および吸気口２４３が設けられている。このうちの吸気口２４３は、内部の電源ユニット３の後方側に位置している。
また、背面部分２４０において、開口２４１とスピーカ孔２４２との間には、矩形状の開口２４４が形成され、この開口２４４からインレットコネクタ３３が露出するようになっている。
【００２９】
一方の側面部分２２０（図１）には、コ字形のハンドル２９が回動自在に取り付けられている。他方の側面部分２２０（図２）には、ハンドル２９を上側にしてプロジェクタ１を立てた場合の足となる４つのサイドフット２２１が設けられている。
【００３０】
また、下面部分２５０において、下方から見て前方左側には、矩形上の開口２５１が形成されている。この開口２５１は、着脱自在に設けられた吸気口カバー２５２で覆われ、この吸気口カバー２５２を通して、外部から冷却空気を吸入するための吸気口２５３が形成されている。
下面部分２５０において、前方側の中央位置には、プロジェクタ１の前後方向での傾きを調整して投写画像の位置合わせを行う第１姿勢調整機構２７が設けられている。また、後方側の一方の隅部には、前後方向と略直交する左右方向でのプロジェクタ１の傾きを調整する第２姿勢調整機構２８が設けられ、他方の隅部には、位置を調整することはできないが、第２姿勢調整機構２８に対応したリアフット２５４が設けられている。
つまり、プロジェクタ１は、第１姿勢調整機構２７、第２姿勢調整機構２８およびリアフット２５４により３点で支持されている。
【００３１】
図３から図５は、プロジェクタ１の内部を示す斜視図である。具体的には、図３は、図１の状態からプロジェクタ１のアッパーケース２１を外した図、図４は、図３の状態からシールド板８０、ドライバーボード９０、および上ライトガイド４７２を外して後方側から見た図、図５は、図４の状態から光学ユニット４を外した図である。プロジェクタを構成するこれらの部品４，８０，９０，４７２については、以下に詳説する。
【００３２】
外装ケース２には、図４，５に示すように、他方の側面部分２２０に沿って配置された電源ユニット３と、この電源ユニット３の側方に配置された平面略Ｕ字形の光学ユニット４とが収容されている。
【００３３】
電源ユニット３は、電源３１と、この電源３１の側方に配置されたランプ駆動回路（バラスト）３２とで構成されている。
電源３１は、電源ケーブルを通して供給された電力をランプ駆動回路３２やドライバーボード９０（図３）等に供給するものであり、前記電源ケーブルが差し込まれるインレットコネクタ３３を備えている。
ランプ駆動回路３２は、光学ユニット４を構成する図４，５では図示しない光源ランプに、電源３１から供給された電力を供給するものである。
【００３４】
これら電源ユニット３および光学ユニット４は、上下を含む周囲のアルミ製のシールド板８０（図３、図５）で覆われており、これによって、電源ユニット３等から外部への電磁ノイズの漏れを防止している。
【００３５】
〔２．光学系の詳細な構成〕
図６は、光学ユニット４を示す斜視図である。図７は、光学ユニット４を模式的に示す図である。
光学ユニット４は、図７に示すように、光源ランプ４１１から出射された光束を、光学的に処理して画像情報に対応した光学像を形成するユニットであり、インテグレータ照明光学系４１、色分離光学系４２、リレー光学系４３、電気光学装置４４、クロスダイクロイックプリズム４５、および投写光学系としての投写レンズ４６を備えている。
【００３６】
インテグレータ照明光学系４１は、３枚の液晶パネル４４１（赤、緑、青の色光毎にそれぞれ液晶パネル４４１Ｒ，４４１Ｇ，４４１Ｂと示す）の画像形成領域をほぼ均一に照明するための光学系であり、光源装置４１３と、第１レンズアレイ４１８と、第２レンズアレイ４１４と、偏光変換素子４１５と、第１コンデンサレンズ４１６と、反射ミラー４２４と、第２コンデンサレンズ４１９とを備えている。
【００３７】
これらのうち、光源装置４１３は、放射状の光線を出射する放射光源としての光源ランプ４１１と、この光源ランプ４１１から出射された放射光を反射するリフレクタ４１２とを有する。光源ランプ４１１としては、ハロゲンランプやメタルハライドランプ、または高圧水銀ランプが用いられることが多い。リフレクタ４１２としては、放物面鏡を用いている。放物面鏡の他、平行化レンズ（凹レンズ）と共に楕円面鏡を用いてもよい。
【００３８】
第１レンズアレイ４１８は、光軸方向から見てほぼ矩形状の輪郭を有する小レンズがマトリクス状に配列された構成を有している。各小レンズは、光源ランプ４１１から出射される光束を、複数の部分光束に分割している。各小レンズの輪郭形状は、液晶パネル４４１の画像形成領域の形状とほぼ相似形をなすように設定されている。たとえば、液晶パネル４４１の画像形成領域のアスペクト比（横と縦の寸法の比率）が４：３であるならば、各小レンズのアスペクト比も４：３に設定する。
【００３９】
第２レンズアレイ４１４は、第１レンズアレイ４１８と略同様な構成を有しており、小レンズがマトリクス状に配列された構成を有している。この第２レンズアレイ４１４は、第１コンデンサレンズ４１６および第２コンデンサレンズ４１９とともに、第１レンズアレイ４１８の各小レンズの像を液晶パネル４４１上に結像させる機能を有している。
【００４０】
偏光変換素子４１５は、第２レンズアレイ４１４と第１コンデンサレンズ４１６との間に配置されるとともに、第２レンズアレイ４１４と一体でユニット化されている。このような偏光変換素子４１５は、第２レンズアレイ４１４からの光を１種類の偏光光に変換するものであり、これにより、電気光学装置４４での光の利用効率が高められている。
【００４１】
具体的に、偏光変換素子４１５によって１種類の偏光光に変換された各部分光は、第１コンデンサレンズ４１６および第２コンデンサレンズ４１９によって最終的に電気光学装置４４の液晶パネル４４１Ｒ，４４１Ｇ，４４１Ｂ上にほぼ重畳される。偏光光を変調するタイプの液晶パネルを用いたプロジェクタでは、１種類の偏光光しか利用できないため、ランダムな偏光光を発する光源ランプ４１１からの光のほぼ半分が利用されない。
そこで、本実施形態のプロジェクタ１では、偏光変換素子４１５を用いることにより、光源ランプ４１１からの出射光を全て１種類の偏光光に変換し、電気光学装置４４での光の利用効率を高めている。なお、このような偏光変換素子４１５は、たとえば特開平８−３０４７３９号公報に紹介されている。
【００４２】
色分離光学系４２は、２枚のダイクロイックミラー４２１，４２２と、反射ミラー４２３とを備え、ダイクロイックミラー４２１，４２２によりインテグレータ照明光学系４１から出射された複数の部分光束を赤、緑、青の３色の色光に分離する機能を有している。
【００４３】
リレー光学系４３は、入射側レンズ４３１、リレーレンズ４３３、および反射ミラー４３２、４３４を備え、色分離光学系４２で分離された色光、青色光を液晶パネル４４１Ｂまで導く機能を有している。
【００４４】
この際、色分離光学系４２のダイクロイックミラー４２１では、インテグレータ照明光学系４１から出射された光束の青色光成分と緑色光成分とが透過するとともに、赤色光成分が反射する。ダイクロイックミラー４２１によって反射した赤色光は、反射ミラー４２３で反射し、フィールドレンズ４１７を通って赤色用の液晶パネル４４１Ｒに達する。このフィールドレンズ４１７は、第２レンズアレイ４１４から出射された各部分光束をその中心軸（主光線）に対して平行な光束に変換する。他の液晶パネル４４１Ｇ、４４１Ｂの光入射側に設けられたフィールドレンズ４１７も同様である。
【００４５】
ダイクロイックミラー４２１を透過した青色光と緑色光のうちで、緑色光はダイクロイックミラー４２２によって反射し、フィールドレンズ４１７を通って緑色用の液晶パネル４４１Ｇに達する。一方、青色光はダイクロイックミラー４２２を透過してリレー光学系４３を通り、さらにフィールドレンズ４１７を通って青色光用の液晶パネル４４１Ｂに達する。なお、青色光にリレー光学系４３が用いられているのは、青色光の光路の長さが他の色光の光路長さよりも長いため、光の拡散等による光の利用効率の低下を防止するためである。すなわち、入射側レンズ４３１に入射した部分光束をそのまま、フィールドレンズ４１７に伝えるためである。
【００４６】
電気光学装置４４は、３枚の光変調装置としての液晶パネル４４１Ｒ，４４１Ｇ，４４１Ｂを備え、これらは、例えば、ポリシリコンＴＦＴをスイッチング素子として用いたものであり、色分離光学系４２で分離された各色光は、これら３枚の液晶パネル４４１Ｒ，４４１Ｇ，４４１Ｂによって、画像情報に応じて変調されて光学像を形成する。
【００４７】
クロスダイクロイックプリズム４５は、３枚の液晶パネルによって変調された画像を合成してカラー画像を形成するものである。なお、クロスダイクロイックプリズム４５には、赤色光を反射する誘電体多層膜と青色光を反射する誘電体多層膜とが、４つの直角プリズムの界面に沿って略Ｘ字状に形成され、これらの誘電体多層膜によって３つの色光が合成される。
【００４８】
〔３．光学装置および投写レンズの配置〕
図８は、液晶パネル４４１（４４１Ｇ）と、クロスダイクロイックプリズム４５と、投写レンズ４６との配置を示す模式図である。
投写レンズ４６は、投写レンズ４６の光軸に対して液晶パネル４４１の画像形成領域の中心軸が一定方向（この方向をあおり方向と呼ぶ）にずれた、いわゆる「あおり投写」に使用されるものである。
ここで、投写レンズ４６のあおり方向は上方とされている。つまり、プロジェクタ１の上面部分２１０は、投写レンズ４６の光軸に対してあおり方向側の面とされ、プロジェクタ１の下面部分２５０は、投写レンズ４６の光軸に対してあおり方向と反対側の面とされている。
【００４９】
クロスダイクロイックプリズム４５の光束射出端面の中心軸Ａは、投写レンズ４６の光軸Ｂに対して、あおり方向とは反対側であるプロジェクタ１の下方側にずれて配置されている。
また、クロスダイクロイックプリズム４５の光束入射端面の入射光束中心軸Ａは、液晶パネル４４１の画像形成領域の入射光束中心軸Ｃに対して、あおり方向側にずれた位置に配置されている。
【００５０】
投写レンズ４６は、樹脂製等の鏡筒４６０内の光路の照明光軸上に５枚４群として構成された１群レンズ４６１、２群レンズ４６２、３群レンズ４６３、および４群レンズ４６４を備える。
１群レンズ４６１は、あおり方向に拡大投写するための非球面レンズとされた凹レンズである。２群レンズ４６２は、光束を調整する凸レンズである。３群レンズ４６３は、凹レンズ４６３Ａと入射側が非球面レンズとされた凸レンズ４６３Ｂとが貼り合わされたバルサムレンズである。４群レンズ４６４は、画像光をのみこむ凸レンズである。
なお、以上の各レンズ４６１〜４６４は、操作レバー４６５，４６６を操作することにより、光軸方向の相互位置が変更され、これにより、投写像の倍率変換および焦点調節が行われる。
【００５１】
このようなプロジェクタ１において、光源から射出された光束は、液晶パネル４４１で画像情報に応じて変調されて光学像として形成される。この光学像は、クロスダイクロイックプリズム４５の光束入射端面からそれぞれ入射され合成される。この合成光は、クロスダイクロイックプリズム４５の光束射出側端面から射出され、投写レンズ４６に飲み込まれる。
次に、投写レンズ４６において、クロスダイクロイックプリズム４５から射出された合成光は、４群レンズ４６４に入射した後に、バルサムレンズである３群レンズ４６３で色収差の補正がなされ、第２レンズ４６２で光量調整されてから、非球面レンズである１群レンズ４６１で歪曲補正をしながら、あおり方向へ拡大投写される。
【００５２】
以上説明した各光学系４１〜４５は、図４、図６に示すように、合成樹脂製の光学部品用筐体としてのライトガイド４７内に収容されている。
このライトガイド４７は、前述の各光学部品４１４〜４１９，４２１〜４２４，４３１〜４３４を上方からスライド式に嵌め込む溝部がそれぞれ設けられた下ライトガイド４７１と、下ライトガイド４７１の上部の開口側を閉塞する蓋状の上ライトガイド４７２とで構成されている。
また、ライトガイド４７の光出射側にはヘッド部４９が形成されている。ヘッド部４９の前方側に投写レンズ４６が固定され、後方側に液晶パネル４４１Ｒ，４４１Ｇ，４４１Ｂが取り付けられたプリズム４５が固定されている。
【００５３】
〔４．冷却構造〕
本実施形態のプロジェクタ１では、液晶パネル４４１Ｒ，４４１Ｇ，４４１Ｂを主に冷却するパネル冷却系Ａと、光源ランプ４１１を主に冷却するランプ冷却系Ｂと、電源３１を主に冷却する電源冷却系Ｃとを備えている。
図２、図４、図５において、パネル冷却系Ａでは、投写レンズ４６の両側に配置された一対のシロッコファン５１，５２が用いられている。シロッコファン５１，５２によって下面の吸気口２５３から吸引された冷却空気は、液晶パネル４４１Ｒ，４４１Ｇ，４４１Ｂを下方から上方に向けて冷却した後、ドライバーボード９０（図３）の下面を冷却しながら前方隅部の軸流排気ファン５３側に寄せられ、前面側の排気口２３１から排気される。
【００５４】
図４から図６において、ランプ冷却系Ｂでは、光学ユニット４の下面に設けられたシロッコファン５４が用いられている。シロッコファン５４によって引き寄せられたプロジェクタ１内の冷却空気は、上ライトガイド４７２に設けられた図示しない開口部からライトガイド４７内に入り込み、ユニット化された第２レンズアレイ４１４および偏光変換素子４１５間を通ってこれらを冷却した後、下ライトガイド４７１の排気側開口４７１Ａから出て該シロッコファン５４に吸引され、吐き出される。吐き出された冷却空気は、下ライトガイド４７１の吸気側開口４７１Ｂから再度ライトガイド４７内に入り、光源装置４１３内に入り込んで光源ランプ４１１を冷却し、この後、ライトガイド４７から出て、前記軸流排気ファン５３によって排気口２３１から排気される。
【００５５】
図４において、電源冷却系Ｃでは、電源３１の後方に設けられた軸流吸気ファン５５が用いられる。軸流吸気ファン５５によって背面側の吸気口２４３から吸引された冷却空気は、電源３１およびランプ駆動回路３２を冷却した後、他の冷却系統Ａ，Ｂと同様に、軸流排気ファン５３によって排気口２３１から排気される。
【００５６】
〔５．実施形態の効果〕
上述のような本実施形態によれば、次のような効果がある。
（１）上面部分２１０に支持機構６０を設けたので、上面部分２１０を下側にしてあおり方向を下方とし、この状態でプロジェクタ１を載置しても、支持フット２１５で外装ケース２を支持できる。したがって、プロジェクタ１を天井から吊り下げる必要がなく、取り付け工事が不要となる。また、支持フット２１５を上面部分２１０に突出して設けたので、下側となった上面部分２１０と載置面との間に空隙が形成されるから、操作スイッチ２１４が誤作動することがない。
【００５７】
（２）支持フット２１５を操作レバー４６５，４６６よりも突出して設けたので、上面部分２１０を下側にしてプロジェクタ１を載置しても、操作レバー４６５，４６６を載置面に接触させずに操作できる。
【００５８】
（３）操作レバー４６５，４６６の上面部分が露出するように凹部２１３を設けたので、操作レバー４６５，４６６の長さを短くして上面部分２１０から突出しないようにしても、円滑に操作できる。
【００５９】
（４）支持フット２１５を衝撃緩衝材で形成したので、シロッコファン５１，５２，５４、排気ファン５３等の駆動による振動を緩和できるから、プロジェクタ１の静寂性を向上できる。
【００６０】
（５）支持フット２１５を外装ケース２に両面テープで取り付けたので、支持フット２１５を簡単に外装ケース２に取り付けることができる。また、外装ケース２に取り付け機構等の複雑な機構が不要なので、あおり方向を上方とした姿勢で使用しても、プロジェクタ１の外観を良好にできる。
【００６１】
［第２実施形態］
本発明の第２実施形態に係るプロジェクタは、支持機構６０Ａの構成が第１実施形態に係るプロジェクタ１と異なるほか、第１実施形態における第１姿勢調整機構２７、第２姿勢調整機構２８、リアフット２５４および支持フット２１５を有していない。
【００６２】
図９は、支持機構６０Ａの一部を模式的に示す断面図である。
支持機構６０Ａは、支持部材６１と、この支持部材６１を進退させる進退機構６２とを３組備える。なお、図９には、３組の支持部材６１および進退機構６２のうち１組のみが示されている。
外装ケース２の上面部分２１０において、前方側の中央位置および後方側の両隅部（支持フット２１５と略同じ位置）には、それぞれ貫通孔２１６が形成されている。各貫通孔２１６の上面部分２１０側には、それぞれ、凹部２１７が形成されている。
下面部分２５０において、貫通孔２１６に相対向する位置に貫通孔２５６が形成されている。各貫通孔２５６の下面部分２５０側には、凹部２５７が形成されている。
また、相対向する貫通孔２１６と貫通孔２５６との間には、外装ケース２に固定された２つのナット部６３が設けられている。
【００６３】
支持部材６１は、外装ケース２内に進退可能に支持された軸部材６１１と、上面部分２１０および下面部分２５０を貫通し軸部材６１１の軸線上を進退可能に支持された２つのフット部材６１２とを備えている。
軸部材６１１は、外装ケース２内の相対向する貫通孔２１６，２５６同士を結ぶ直線上に配置されている。軸部材６１１の中央部分は、その外周面に歯が形成されたギア部６１３とされ、このギア部６１３を介して軸部材６１１は回転可能とされている。軸部材６１１の両端部分（中央部分を除く部分）は、外周面に雄ねじが刻設された雄ねじ部６１４とされ、ナット部６３に螺合されている。これにより、軸部材６１１は、外装ケース２に支持されるとともに、軸部材６１１の回転によってその軸方向に進退可能とされている。
【００６４】
フット部材６１２は、相対向する貫通孔２１６，２５６を貫通して配置され、外装ケース２の内側に配置される鍔部６１５と、外装ケース２の外側に配置される円板状の支持部６１７と、貫通孔２１６，２５６を貫通し鍔部６１５と支持部６１７とを連結する首部６１６とを備えている。
鍔部６１５は、外装ケース２の内面に係止されることにより、フット部材６１２の外側への移動を規制するものである。支持部６１７は、フット部材６１２が軸方向に移動した場合に、凹部２１７，２５７に収納されて外装ケース２の上側部分２１０あるいは下側部分２５０と略同一平面を構成するとともに、フット部材６１２の内側への移動を規制するものである。
以上のフット部材６１２は、軸部材６１１の軸線上を進退可能に支持されるとともに、外装ケース２から脱落しないようになっている。
【００６５】
なお、上述した軸部材６１１の長さは、各フット部材６１２が上面部分２１０および下面部分２５０から突出しない状態、つまり、支持部６１７が凹部２１７，２５７に収納された状態における、フット部材６１２同士の間隔に等しい寸法とされている。
【００６６】
進退機構６２は、高さ調整車６２１と、この高さ調整車６２１の回転を軸部材６１１のギア部６１３に伝達する輪列６２２とを備えている。高さ調整車６２１は、外装ケース２の側面部分２２０に設けられた切欠き２２２から露出しており、指で回転可能とされている。
【００６７】
以上の支持機構６０Ａによれば、高さ調整車６２１を指で回転させると、輪列６２２およびギア部６１３を介して、支持部材６１の軸部材６１１が回転し、軸部材６１１はその軸方向に進退する。
例えば、上面部分２１０側に軸部材６１１を前進させると、この軸部材６１１に押圧されて図９中下側のフット部材６１２は、鍔部６１５によって移動が規制されるまで上面部分２１０から突出する。このとき、図９中上側のフット部材６１２の支持部６１７は、凹部２５７に収納可能となる。
逆に、下面部分２５０側に軸部材６１１を前進させると、同様に、図９中上側のフット部材６１２の支持部６１７は、下面部分２５０から突出する。このとき、図９中下側のフット部材６１２の支持部６１７は、凹部２１７に収納可能となる。
さらに、軸部材６１１の位置を調整することによって、上下のフット部材６１２の支持部６１７を、凹部２１７，２５７に収納することができる。
【００６８】
したがって、本実施形態によれば、第１実施形態で述べた（１）〜（３）の効果に加え、以下の効果がある。
（６）支持機構６０Ａを設けたので、例えば、軸部材６１１を軸方向一端側（図９中下側）に前進させるだけで、この一端側のフット部材６１２を上面部分２１０から突出させることができるとともに、他端側のフット部材６１２を下面部分２５０から引っ込めることができる。これにより、上面部分２１０を下側にして容易に載置できるとともに、下面部分２５０を上側にして外観を良好にできる。逆に、支持部材６１を軸方向他端側に前進させることにより、下面部分２５０を下側にして容易に載置できるとともに、上面部分２１０を上側にして外観を良好にできる。
【００６９】
（７）外装ケース２にナット部６３を設けたので、軸部材６１１を進退機構６２で回転させるだけで、外装ケース２のナット部６３に対して軸部材６１１が進退し、フット部材６１１の外装ケース２からの突出寸法を任意に設定できるから、プロジェクタ１の姿勢を容易に調整できる。
【００７０】
（８）支持機構６０Ａを軸部材６１１とフット部材６１２とを含んで構成し、軸部材６１１の長さを、各フット部材６１２が上面部分２１０および下面部分２５０から突出しない状態におけるフット部材６１２同士の間隔と等しくしたので、相対向するフット部材６１２を両方とも上面部分２１０および下面部分２５０から突出しない状態にできるから、運搬等の使用しない状態でのプロジェクタ１の外観を良好にできる。
【００７１】
［第３実施形態］
本発明の第３実施形態に係るプロジェクタは、支持機構６０Ｂの構成が第１実施形態に係るプロジェクタ１と異なるほか、第１実施形態における第１姿勢調整機構２７、第２姿勢調整機構２８、リアフット２５４および支持フット２１５を有していない。
図１０は、支持機構６０Ｂの一部を模式的に示す断面図である。
支持機構６０Ｂは、支持部材６５と、この支持部材に対応した蓋部材６６とを３組備える。なお、図１０には、３組の支持部材６５および蓋部材６６のうち１組のみが示されている。
【００７２】
外装ケース２の上面部分２１０において、前方側の中央位置および後方側の両隅部（支持フット２１５と略同じ位置）には、それぞれ内周面に雌ねじが刻設された取り付け孔としての貫通孔２１８が形成されている。各貫通孔２１８の上面部分２１０側には、それぞれ、凹部２１９が形成されている。
下面部分２５０において、貫通孔２１８に相対向する位置に、内周面に雌ねじが刻設された取り付け孔としての貫通孔２５８が形成されている。各貫通孔２５８の下面部分２５０側には、凹部２５９が形成されている。
【００７３】
支持部材６５は、円板状の支持部６５１と、この支持部６５１に垂直に延びて外周面には雄ねじが刻設された軸部６５２とを備える。各支持部材６５は、軸部６５２で貫通孔２１８，２５８に係合、ここでは螺合することにより、上面部分２１０および下面部分２５０から突出するとともに、着脱可能とされている。ここでは、貫通孔２１８に支持部材６５が取り付けられている。
蓋部材６６は、支持部材６５と略同一形状、つまり、円板状の蓋部６６１と、この蓋部６６１から垂直に延びる軸部６６２とを備え、ゴムや合成樹脂等の弾性を有する材料で一体に形成されている。蓋部材６６は、貫通孔２１８，２５８を塞ぐものであって、軸部６６２が貫通孔２１８，２５８に、蓋部６６１が凹部２１９，２５９に、それぞれ嵌合可能とされている。ここでは、貫通孔２５８に蓋部材６６が取り付けられている。
【００７４】
したがって、本実施形態によれば、第１実施形態で述べた（１）〜（３）の効果に加え、以下の効果がある。
（９）上面部分２１０および下面部分２５０のうち一方、ここでは上面部分２１０の貫通孔２１８に支持部材６５を取り付けたので、上面部分２１０を下側としてプロジェクタ１を載置しても、支持部材６５で外装ケース２を支持できる。したがって、プロジェクタ１を天井から吊り下げる必要がなく、取り付け工事が不要となる。また、支持部材６５を上面部分２１０から突出して設けたので、下側となった上面部分２１０と載置面との間に空隙が形成されるから、操作スイッチ２１４が誤作動することがない。さらに、下面部分２５０の貫通孔２５８に蓋部材６６を取り付けたので、プロジェクタ１の外観を良好にできる。
【００７５】
（１０）外装ケース２の貫通孔２１８に支持部材６５を螺合させたので、支持部材６５を外装ケース２に確実に固定できる。また、支持部材６５を回転させるだけで、支持部材６５の外装ケース２からの突出寸法を任意に設定できるから、プロジェクタ１の姿勢を容易に調整できる。
【００７６】
なお、本発明は前記実施形態に限定されるものではなく、本発明の目的を達成できる範囲での変形、改良等は本発明に含まれるものである。
例えば、前記第１実施形態では、支持フット２１５を半球形状としたが、これに限らず、略円錐形状から先端部分を切除した形状としてもよい。
【００７７】
また、前記第３実施形態では、支持部材６５を貫通孔２１８，２５８に螺合可能としたが、これに限らず、図１１に示すような構成としてもよい。すなわち、外装ケース２には、貫通孔２６１が形成され、この貫通孔２６１には、内周面に沿って例えば合成ゴム製のソケット２６３が嵌め込まれている。支持部材６５Ａは、支持部材６５と同様の構成であるが、軸部６５２Ａに複数の突起２６４が設けられている。支持部材６５Ａの軸部６５２Ａをソケット２６３に挿入することにより、突起２６４がソケット２６３の内周面に係合し、支持部材６５Ａで外装ケース２を支持できる。
また、図１２に示すような構成としてもよい。すなわち、外装ケース２には、貫通孔２６５が形成され、外装ケース２の内側には、ばね２６６で付勢された２つの挟持部材２６７が配置されている。支持部材６５Ｂは、支持部材６５と同様の構成であるが、軸部６５２Ｂには、軸方向に所定間隔おきにステップ溝２６８が形成されている。支持部材６５Ｂの軸部６５２Ｂは貫通孔２６５に挿入されており、ステップ溝２６８に挟持部材２６７が係合されている。これにより、支持部材６５Ｂで外装ケース２を支持できるとともに、この挟持部材２６７が係合されるステップ溝２６８を適宜変更して、支持部材６５Ｂの外装ケース２にからの突出寸法を調整できる。
【００７８】
【発明の効果】
本発明によれば、次のような効果が得られる。
第１支持面を下側にしてあおり方向を下方とし、この状態でプロジェクタを載置しても、支持手段で外装ケースを支持できる。したがって、プロジェクタを天井から吊り下げる必要がなく、取り付け工事が不要となる。また、支持手段を第１支持面に突出して設けたので、下側となった第１支持面と載置面との間に空隙が形成されるから、スイッチ等が誤作動することがない。
【図面の簡単な説明】
【図１】本発明の第１実施形態に係るプロジェクタを上方から見た全体斜視図。
【図２】前記実施形態におけるプロジェクタを下方から見た全体斜視図。
【図３】図１の状態からアッパーケースを外した状態を示す斜視図。
【図４】図３の状態からシールド板、ドライバーボード、および上ライトガイドを外して後方側から見た斜視図。
【図５】図４の状態から光学ユニットを外した状態を示す斜視図。
【図６】前記実施形態における光学ユニットを下方から見た斜視図。
【図７】前記実施形態における光学ユニットを模式的に示す平面図。
【図８】前記実施形態における光学装置および投写レンズの配置を模式的に示す側面図。
【図９】本発明の第２実施形態に係るプロジェクタの支持手段を模式的に示す断面図。
【図１０】本発明の第３実施形態に係るプロジェクタの支持手段を模式的に示す断面図。
【図１１】本発明の変形例に係る支持手段を模式的に示す断面図。
【図１２】本発明の別の変形例に係る支持手段を模式的に示す断面図。
【符号の説明】
１…プロジェクタ、２…外装ケース、４６…投写レンズ（投写光学系）、６０，６０Ａ，６０Ｂ…支持機構（支持手段）、６３…ナット部、６６…蓋部材、２１０…上面部分（第１支持面）、２１３…凹部、２１８，２５８…貫通孔（取り付け孔）、２５０…下面部分（第２支持面）、４４１，４４１Ｒ，４４１Ｇ，４４１Ｂ…液晶パネル（光変調装置）、４６５，４６６…操作レバー。
【図１】
2004085726.tif 000003
【図２】
2004085726.tif 000004
【図３】
2004085726.tif 000005
【図４】
2004085726.tif 000006
【図５】
2004085726.tif 000007
【図６】
2004085726.tif 000008
【図７】
2004085726.tif 000009
【図８】
2004085726.tif 000010
【図９】
2004085726.tif 000011
【図１０】
2004085726.tif 000012
【図１１】
2004085726.tif 000013
【図１２】
2004085726.tif 000014